(57)【特許請求の範囲】
【請求項１】
複数の浴室関連加熱機器に接続することができる浴室関連加熱機器の制御装置において、
前記制御装置にどのような機種の浴室関連加熱機器が接続されているか判定する接続判定部と、
前記接続判定部により、所定の最高温度値を上限値とする風呂温度設定値に従って浴槽への湯張りや追焚を行う機能を備えた第１の加熱機器と、前記最高温度値より低い所定の浴湯温度上限値を上限値として浴湯の温度を制御する機能を備えた第２の加熱機器とが前記制御装置に接続されていると判定された場合、前記風呂温度設定値の上限値を強制的に前記浴湯温度上限値に変更して前記第１の加熱機器の加熱制御を行い、一方、前記接続判定部により、前記第１の加熱機器は接続されているが前記第２の加熱機器は接続されていないと判定された場合、前記風呂設定温度値の上限値を前記最高温度値として前記第１の加熱機器の加熱制御を行なうシステム管理部と
を備えることを特徴とする浴室関連加熱機器の制御装置。
【発明の詳細な説明】
【０００１】
【発明の属する技術分野】
本発明は、加熱機器の制御装置に関し、特に浴湯の加熱／保温機能を有する給湯機や、浴湯の浄化／保温機能を有する浴湯循環浄化保温装置（以下、便宜上「ＦＴＢ（出願人の商標）」と略称する）等浴室関連の加熱機器の制御装置に関する。
【０００２】
【従来の技術】
従来より、ＦＴＢにおいて、微生物を利用して浴槽内の湯水の浄化を行なう所謂バイオ浄化方式のＦＴＢが知られている。このバイオ浄化方式のＦＴＢでは、浴湯が高温になって微生物の浄化能力が低下する等自身の浄化性能を損なうことのないよう、浴湯温度の上限値が設定され、浴湯温度の制御が行なわれる。
【０００３】
【発明が解決しようとする課題】
ところで、浴槽には上述したＦＴＢ以外にも、浴槽への湯張り機能や浴湯の追焚き機能等を備えた給湯機が加熱機器として接続される場合がある。しかも、この給湯機では、湯張り温度や追焚き温度が上述したＦＴＢにより設定される浴湯温度の上限値とは無関係に設定され、その設定湯温に基づいて温度制御が行なわれる。
【０００４】
そのため、ＦＴＢが微生物の活動に適した湯温になるよう浴湯温度の制御を行なっても、ＦＴＢの設定上限値よりも高温で湯張りが行なわれたり、追焚きが行なわれたりすると、浴湯温度がＦＴＢによる設定上限値を超えてしまい、微生物の活動能力が低下し、浴湯の浄化性能が劣化するという問題点があった。
【０００５】
従って本発明の目的は、複数の浴室関連加熱機器の加熱温度を所定の温度に統合的に制御することを可能にすることである。
【０００６】
【課題を解決するための手段】
本発明に従う複数の浴室関連加熱機器に接続することができる浴室関連加熱機器の制御装置は、前記制御装置にどのような機種の浴室関連加熱機器が接続されているか判定する接続判定部と、前記接続判定部により、所定の最高温度値を上限値とする風呂温度設定値に従って浴槽への湯張りや追焚を行う機能を備えた第１の加熱機器と、前記最高温度値より低い所定の浴湯温度上限値を上限値として浴湯の温度を制御する機能を備えた第２の加熱機器とが前記制御装置に接続されていると判定された場合、前記風呂温度設定値の上限値を強制的に前記浴湯温度上限値に変更して前記第１の加熱機器の加熱制御を行い、一方、前記接続判定部により、前記第１の加熱機器は接続されているが前記第２の加熱機器は接続されていないと判定された場合、前記風呂設定温度値の上限値を前記最高温度値として前記第１の加熱機器の加熱制御を行なうシステム管理部とを備える。
【００１５】
【実施の形態】
以下、本発明の実施の形態を、図面により詳細に説明する。
【００１６】
図１は、本発明に従う加熱機器の制御装置が適用される浴槽機器制御システムの一実施形態を示す。
【００１７】
上記システムは、図示のように、浴槽３と、これを加熱するために電気ヒータを熱源とする所謂バイオ浄化方式を採用したＦＴＢ１と、ガス燃焼器を熱源とする給湯機２と、浴槽３内の湯水に気泡を発生させるための気泡発生機４とを備える。上記システムは、更に、ＦＴＢ１、給湯機２、及び気泡発生機４を統合的に制御するためのリモートコントローラ（以下、統一リモコンという）５をも備える。
【００１８】
浴槽３には、浴槽３から湯水を吸引してＦＴＢ１、給湯機２、及び気泡発生機４に夫々供給するための湯水循環用配管６と、ＦＴＢ１、給湯機２、及び気泡発生機４内の湯水を、浴槽３内に戻すための湯水循環用配管７、８との合計３本の配管が接続されている。
【００１９】
ＦＴＢ１は、逆止弁９を介して配管６、７に連通する湯水循環用配管１０と、この湯水循環用配管１０に取付けられた湯水圧送ポンプ１１と、湯水循環用配管１０内の湯水を加熱するための電気ヒータ１２と、湯水循環用配管１０内の湯水の温度を検出するための水温センサ１４とを備える。ＦＴＢ１は、また、湯水を浄化するための微生物を有した浄化装置（図示しない）と、湯水循環用配管１０に気泡を発生させるのに必要なエアーを導入するための開閉弁１５をも備える。
【００２０】
上記浄化装置内の微生物の活動による浄化作用により、浴槽３内の湯水の浄化が行なわれる訳である。ＦＴＢ１は、更に、上記各部に加えて、水温センサ１４からの水温検出信号を読込んで湯水圧送用ポンプ１１や電気ヒータ１２の駆動を制御することにより、湯水を循環させて浄化すると共に２４時間保温する制御を行うＦＴＢコントローラ１６をも備える。
【００２１】
ＦＴＢコントローラ１６は、与えられた各種データに演算処理を施す演算処理部、及び各種データ等を記憶する記憶部と（図２において制御部６３で示す）、統一リモコン５との間で有線伝送によりデータや指令の授受を行う入出力インターフェース部等（図２において通信Ｉ／Ｆ６４で示す）を備える。
【００２２】
給湯機２は、逆止弁１７、１８、１９を介して湯水循環用配管６、８に連通する湯水循環用配管２２と、湯水圧送ポンプ２３と、ガス燃焼器２４と、水温センサ２５と、給湯機コントローラ２６とを備える。
【００２３】
給湯機コントローラ２６もＦＴＢコントローラ１６と同様に、演算処理部、及び記憶部と（図２において制御部６３で示す）、統一リモコン５に接続された入出力インターフェース部（図２において通信Ｉ／Ｆ６４で示す）等を備える。
【００２４】
気泡発生機４は、逆止弁１７を介して湯水循環用配管６に、逆止弁２０を介して湯水循環用配管７に、逆止弁２１を介して湯水循環用配管８に、更に逆止弁１９を介して湯水循環用配管２２に夫々接続された略ヨ字状の湯水循環用配管２７を備える。更に、この湯水循環用配管２７の配管６と接続している部位に取付けられた気泡発生ポンプ２８及び気泡発生機コントローラ２９をも備える。
【００２５】
気泡発生機コントローラ２９もＦＴＢコントローラ１６や給湯機コントローラ２６と同様に、演算処理部、及び記憶部と（図２において制御部６３で示す）、統一リモコン５に接続された入出力インターフェース部（図２において通信Ｉ／Ｆ６４で示す）等を備える。
【００２６】
統一リモコン５は、浴室内に設置され、ＦＴＢ１と、給湯機２と、気泡発生機４とを統合的に制御するのに必要な操作パネル３０及び表示部３１を備えている。この統一リモコン５も、演算処理部と、記憶部と、入出力インターフェース部等（いずれも図示しない）を内蔵している。
【００２７】
図２は、統一リモコン、ＦＴＢ、給湯機、及び気泡発生機の機能構成を示す。
【００２８】
統一リモコン５は、図２に示すように、表示部４１と、操作部４２と、表示部４１及び操作部４２に対する入出力管理部４３と、統一リモコン５の各部を管理するためのシステム管理部４４とを備える。統一リモコン５は、また、後述するような各機器の接続／非接続を判定するための判定部（接続／非接続判定部）４５と、この判定部４５により接続と判定された機器の機種を更に判定するための判定部（接続機種判定部）４７とを備える。統一リモコン５は、また、接続／非接続判定部４５により接続と判定された機器の動作状態を判定するための判定部（動作状態判定部）４９と、各種データを記憶するためのデータ記憶部５０をも備える。統一リモコン５は、更に、ＦＴＢコントローラ１６と、給湯機コントローラ２６及び気泡発生機コントローラ２９との間で有線伝送によりデータや指令の授受を行うための通信インターフェース（通信Ｉ／Ｆ）５１をも備える。
【００２９】
一方、ＦＴＢ１、給湯機２、及び気泡発生機４は、夫々水温センサ１４、２５等のセンサ群６１と、ポンプ１１、２３、２８を駆動するためのアクチュエータ６２とを備える。更に、センサ群６１からの出力に基づき、アクチュエータ６２を制御する制御部６３と、統一リモコン５側の通信インターフェース５１との間で有線伝送によりデータや指令の授受を行うための通信Ｉ／Ｆ６４をも夫々備えている。
【００３０】
図３は、統一リモコン５が備える操作部３０及び表示部３１の詳細構成を示す。
【００３１】
図２で示した表示部４１及び操作部４２は、図３に示すような操作パネル（ハードキー）３０で構成される。この操作パネル３０には、各々ＬＥＤを内蔵した電源入／切スイッチ７１と、浄化スイッチ７２と、連続保温スイッチ７３と、給湯機入／切スイッチ７４と、給湯温度スイッチ７５と、入浴（追焚）スイッチ７６と、ブロースイッチ７７と、呼出しスイッチ７８等が図示のように配置されている。
【００３２】
電源入／切スイッチ７１は、統一リモコン５の電源を投入したり切ったりするためのスイッチであり、浄化スイッチ７２は、ＦＴＢ１を省エネルギー運転するときにオンするためのスイッチである。連続保温スイッチ７３は、ＦＴＢ１を保温運転するときにオンするためのスイッチである。なお、連続保温スイッチ７３がオフされると、ＦＴＢ１は、自動的に省エネルギー運転に切替わるようになっている。
【００３３】
給湯機入／切スイッチ７４は、給湯機２を運転／停止するためのスイッチであり、給湯温度スイッチ７５は、給湯機２の運転時に、統一リモコン５による給湯温度設定（水栓へ供給される湯温設定）を、他のリモコン（台所リモコン等）による給湯温度設定に対して優先させるためのスイッチである。
【００３４】
入浴（追焚）スイッチ７６は、給湯機２の運転時に給湯機２を自動運転するときにオンするためのスイッチである。なお、給湯機２の自動運転とは、一定時間（例えば、６時間）、浴湯温度を設定値に維持するよう随時追炊を行う運転のことである。ブロースイッチ７７は、気泡発生機４を駆動するためのスイッチである。呼出しスイッチ７８は、この統一リモコン５をインターホンとして利用するためのスイッチである。
【００３５】
表示器３１には、ドットマトリクスＬＣＤ、その表面に取付けられる管面タッチスイッチ（図４において符号５６で示す）、及びＬＣＤ表面シートから構成されるＬＣＤパネルが用いられる。
【００３６】
表示器３１には、例えば、風呂設定温度値Ｔｆｓ、浴湯温度検出値Ｔｆや水位などの状態表示、各種選択キー６１〜６３により選択された機器や機能（例えば、ＦＴＢ保温運転）に関する細かい機能の選択キー等の図５〜図７に示すような画像情報が、統一リモコン５の前述した演算処理部の制御下で表示出力される。なお、この表示器３１と上記スイッチの各々に設けられているＬＥＤが図２に示す表示部４１を構成している。
【００３７】
図４は、図２で示した統一リモコン５の表示器３１が備える管面タッチスイッチの構成を示す。
【００３８】
図４において、管面タッチスイッチ５６は、図示のように表示領域の異なる複数のブロックに分割されており、各ブロックは、表示器３１上において各ブロックと同一位置に表示されるソフトキーの各々に対応した機能を果たすべく、独立したスイッチとして入力受け付けを行なうようになっている。
【００３９】
図５は、上述した統一リモコン５の表示器３１に表示されるメイン画面を示す。
【００４０】
図５に示したメイン画面は、給湯機、ＦＴＢ、気泡発生機の各浴槽機器が接続されている場合に表示されるものである。例えば、図５のソフトキー『風呂温度・水位』をＯＮすると、これに対応する管面タッチスイッチ５６のブロック５６ａから画面切替え指令信号が出力され、この指令信号により、表示器３１の表示画面が図６に示す風呂設定画面に切り替る。この図６の風呂設定画面は、図５のメイン画面中のソフトキー『肩』、及び『モード』を温度『＋』、『−』に、ソフトキー『ランダムＯＮ／ＯＦＦ』を水位『＋』、『−』に、夫々書換えたものである。
【００４１】
一方、図５のソフトキー『ヘルプ』をＯＮすると、これに対応する管面タッチスイッチ５６のブロック５６ｂから画面切替え指令信号が出力され、この指令信号により、表示器３１の表示画面が図７に示すヘルプ画面に切り替る。この図７のヘルプ画面は、図５のメイン画面中のソフトキー『背』、『足』、『連続保温』等の画面の下半分のソフトキーを、ヘルプ参照キーに夫々書換えたものである。
【００４２】
ここで、再び図２に戻って、接続／非接続判定部４５は、通信Ｉ／Ｆ５１及び通信線を介して各機器１、２、４のコントローラ１６、２６、２９と交信することによって得られる交信結果に基づき、各機器１、２、４の接続／非接続を判定する。そして、その判定結果をシステム管理部４４、接続機種判定部４７、及び機器動作状態判定部４９に夫々出力する。なお、この接続／非接続の判定については、例えば、まず各機器１、２、４に対応する８ビット又は１６ビットのシリアルデータを各々独自のプロトコルで通信Ｉ／Ｆ５１から通信線を通じて各コントローラ１６、２６、２９に送信する。そして、各コントローラ１６、２６、２９側で各データを受信すると接続／非接続判定部４５に確認データを送信し、この確認データが返ってくることを接続／非接続判定部４５側で確認することにより行われる。
【００４３】
本実施形態では、この通信が３回連続して正常に行われた時に「接続」と判定し、一方、９回連続して正常な通信ができなかった時に「非接続」と判定するようにしている。なお、具体的通信方法としては、上記以外にも、各コントローラ１６、２６、２９と接続／非接続判定部４５との間で、プロトコルはどの機器も共通としてデータだけ各機器毎に異ならせる方法、データを共通としてプロトコルを異ならせる方法、或いは、データ及びプロトコルを共通として確認データのみを異ならせる方法等がある。また、各コントローラ１６、２６、２９から接続／非接続判定部４５へ一方的にデータを周期的に送信するようにしておき、このデータを所定時間以上に亘って接続／非接続判定部４５が受信しなかったときに「非接続」と判断するようにしてもよい。
【００４４】
接続機種判定部４７は、接続／非接続判定部４５によって接続と判定された機器について、通信Ｉ／Ｆ５１、及び接続／非接続判定部４５を通じて対応する機器のコントローラからの通信データを読み込んでどの機種の機器であるのかを判定する。そして、その判定結果をシステム管理部４４に与える。
【００４５】
機器動作状態判定部４９は、接続／非接続判定部４５によって接続と判定された機器について、通信Ｉ／Ｆ５１、及び接続／非接続判定部４５を通じて対応する機器のコントローラからの通信データを読み込んで接続機器がどのような動作状態にあるかを判定し、その判定結果をシステム管理部４４に与える。
【００４６】
データ記憶部５０には、各機器のセンサ群６１から制御部６３、通信Ｉ／Ｆ６４、５１、及びシステム管理部４４を通じて与えられる各種センサ情報や、入力管理部４３、及びシステム管理部４４を通じて与えられる各種スイッチ操作情報や、ＦＴＢ内の微生物の活動に適した湯温の上限値データ等が記憶される。
【００４７】
システム管理部４４は、接続／非接続判定部４５から与えられる各機器の接続／非接続情報や、接続機種判定部４７から与えられる接続機種情報や、機器動作状態判定部４９から与えられる機器の状態情報や、入出力管理部４３を通じて与えられるスイッチ操作情報等をデータ記憶部５０に一時的に記憶させる。システム管理部４４は、また、データ記憶部５０に記憶させた上記情報に基づき、システム全体が現在どのような状態にあるかを把握する。この結果、例えばＦＴＢ１が所謂バイオ浄化方式のＦＴＢであると判断したとき、給湯機コントローラ２６による風呂温度設定値が、上述した浴湯温度上限値を超えているか否かをチェックする。そして、超えていると判断したときには、風呂温度設定値を浴湯温度上限値以下になるよう、強制的に変更する。
【００４８】
次に、上記構成の制御動作を図８のフローチャートを参照して説明する。
【００４９】
まず、接続／非接続判定部４５が接続と判定した機器について、接続機種判定部４７はどのような機種かを判定する。その理由は、浴槽３に接続される機器は必ずしも１種類だけとは限らず、例えば給湯機２を例にとってみても複数の機種が接続可能であり、しかも、その制御方法も各機種によって相違するからである（ステップＳ１０１）。次に、入出力管理部４３よりスイッチ操作情報が与えられたことを認識すると（ステップＳ１０２）、それが風呂温度設定のためのスイッチ操作情報か否かを確認する。即ち、図６の風呂設定画面において、風呂温度設定のためのソフトキー『＋』、『−』がＯＮされたか否かを確認することとなる（ステップＳ１０３）。この確認の結果、風呂温度設定以外のスイッチ操作であったことを確認すると（ステップＳ１０３）、そのスイッチ操作に対応する制御が行なわれる。
【００５０】
一方、上記確認の結果、風呂温度設定のためのスイッチ操作であったことを確認すると（ステップＳ１０３）、接続機種判定部４７からの判定情報に基づき、ＦＴＢ１の接続機種が所謂バイオ浄化方式のＦＴＢか否かをチェックする（ステップＳ１０４）。このチェックの結果、バイオ浄化方式のＦＴＢであると判断すると、ステップＳ１０３で読み込んだ風呂温度設定値を、ＦＴＢ１内の微生物の活動に適した湯温の上限値データであるＴ１℃（例えば、４５℃）に強制的に変更する（ステップＳ１０５）。そして、この風呂温度設定値Ｔ１℃に基づき、給湯機２の燃焼制御を行なうと共に、ＦＴＢ１による浴湯の保温を行なう場合においても、Ｔ１℃を上限値として温度制御を行なうこととなる（ステップＳ１０７）。なお、ＦＴＢ１の接続機種がバイオ浄化方式のＦＴＢでなければ（ステップＳ１０４）、ＦＴＢ１内の微生物の活動について考慮する必要がないから、接続されている給湯機２の機種における風呂設定設定温度の最高温度値Ｔ２℃（Ｔ２≧Ｔ１）を湯温の上限値として給湯機２の燃焼制御を行なう（ステップＳ１０７）。
【００５１】
上記構成によれば、バイオ浄化方式のＦＴＢが接続されている場合には、仮に使用者が図６に示した風呂温度設定のためのソフトキー『＋』をＯＮし続けても、湯温の上限値はＴ１℃以上になることはないから、湯温がＴ１℃を超えてＦＴＢ１内の微生物の活動が低下し、浄化機能が劣化する不具合を防止することができる。
【００５２】
図９は、本発明の加熱機器の制御装置が適用される浴槽機器制御システムの他の実施形態に適用される通信データの構成を示す。
【００５３】
本実施形態では、図示のように、スタート、コード、アドレス、Ｄ１〜Ｄｎ、フレームチェックコードＦＣＣＬ及びＦＣＣＨ、ストップ等の各々が８ビットの各種情報を含んだフレーム構成となっている。
【００５４】
ここで、「スタート」情報は上記フレームの始まりを、また、「ストップ」情報は上記フレームの終わりを夫々示す。「コード」情報は接続機器の機種を示す。この「コード」情報により、接続機器が給湯機（＝加熱機器）か否か、給湯機である場合に、その風呂設定温度の最高値（上限値）はどれ位かを判定する。「アドレス」情報は、上記データの発信元を示すもので、この情報に基づいて、例えば各機器のコントローラか、統一リモコン５か、或いは台所リモコン等、浴槽機器とは無関係の機器かが判定される。「Ｄ１〜Ｄｎ」情報は、各機器や各機器のコントローラや統一リモコン等の状態を示す。
【００５５】
図１０は、本発明の第２の実施形態に係る浴槽機器制御システムの制御動作を示すフローチャートである。
【００５６】
図１０において、統一リモコン５は図９に示したような構成の通信データをセットし（ステップＳ１１１）、浴槽３に接続されている機器（１、２、４）のコントローラ（１６、２６、２９）との間で交信を開始する（ステップＳ１１２〜Ｓ１１４）。そして、この交信の結果、各機器のコントローラから送信された通信データについて、機器の接続／非接続、接続機種の判定、接続機器の動作状態、スイッチ操作情報等に関する分析を行ない、その分析結果をデータ記憶部５０に記憶させる（ステップＳ１１５）。
【００５７】
この分析の結果、仮にＦＴＢ１、給湯機２、及び気泡発生機４の全部の機器が接続されているとすれば、接続されているＦＴＢ１の機種が機種Ｄ、Ｅ、Ｆのいずれであるか、給湯機２の機種が機種Ａ、Ｂ、Ｃのいずれであるか、気泡発生機４の機種が機種Ｇ、Ｈ、Ｉのいずれであるかが明らかとなる。
【００５８】
また、これら各機器のうち加熱機器であるＦＴＢ１、及び給湯機２について接続機種が判明すれば、給湯機２においては、機種Ａの風呂設定温度上限値はＴＡ、機種Ｂの風呂設定温度上限値はＴＢ、機種ＣのそれはＴＣである。ＦＴＢ１においては、機種Ｄの風呂設定温度上限値はＴＤ、機種Ｅの風呂設定温度上限値はＴＥ、機種ＦのそれはＴＦである。本実施形態においては、各機種Ａ〜Ｆの風呂設定温度上限値の間には、ＴＡ＝ＴＢ＝ＴＣ＝ＴＤ＞ＴＥ＝ＴＦの関係が成立するものとする。即ち、機種Ｅ及び機種ＦのＦＴＢ１は、いずれも所謂バイオ浄化方式を採用したＦＴＢであるために、機種Ｅ又は機種ＦのＦＴＢ１が接続されているときは、風呂設定温度上限値をＴＥ（＝ＴＦ）に制御する必要がある。
【００５９】
次に、接続機器に対応した元画面を、表示器３１に表示する。この場合はＦＴＢ１、給湯機２、気泡発生機４の全ての浴槽機器が接続されているから、表示器３１には図５に示したような元画面が表示される（ステップＳ１１６）。そして、この元画面上の風呂温度・水位設定スイッチ（ソフトキー）がＯＮされたのを確認すると、表示画面を図５の元画面から図６の風呂設定画面に切替える（ステップＳ１１７）。次に、上記風呂設定画面において、風呂温度設定値を上昇させるためのソフトキー『＋』がＯＮされたか否かを確認する（ステップＳ１１８）。この確認の結果、ＯＮされたと判断すると、ステップＳ１１５でデータ記憶部５０に記憶させたデータ分析結果をデータ記憶部５０から読み出してＦＴＢ１の接続機種が所謂バイオ浄化方式を採用した機種Ｅ又は機種Ｆであるか否かをチェックする（ステップＳ１１９）。
【００６０】
このチェックの結果、機種Ｅ又は機種Ｆであると判断すると（ステップＳ１１９）、ステップＳ１１８で設定された風呂温度設定値（＝現在設定値）と風呂設定温度上限値ＴＥとの間に、現在設定値≧ＴＥの関係が成立するか否かをチェックする（ステップＳ１２０）。このチェックの結果、成立すると判断した場合には、ＴＥを風呂温度設定値とした後に、ステップＳ１１１に移行することとなる（ステップＳ１２１）。ステップＳ１２０で現在設定値≧ＴＥの関係が成立しないと判断したときは、現在設定値が風呂設定温度上限値ＴＥより低いので、現在設定値を＋１℃上昇させた後に、ステップＳ１１１に移行することとなる（ステップＳ１２２）。
【００６１】
上述したステップＳ１１９でのチェックの結果、ＦＴＢ１の接続機種が機種Ｅ又は機種Ｆでない（即ち、所謂バイオ浄化方式を採用していない機種Ｄである）と判断すると、上記現在設定値と風呂設定温度上限値ＴＡとの間に、現在設定値≧ＴＡの関係が成立するか否かをチェックする（ステップＳ１２３）。このチェックの結果、成立すると判断した場合には、ＴＡを風呂温度設定値とした後に、ステップＳ１１１に移行することとなる（ステップＳ１２４）。ステップＳ１２３で現在設定値≧ＴＡの関係が成立しないと判断したときは、現在設定値が風呂設定温度上限値ＴＡより低いので、現在設定値を＋１℃上昇させた後に、ステップＳ１１１に移行することとなる（ステップＳ１２５）。
【００６２】
なお、ステップＳ１１８において、風呂温度設定値を上昇させるためのソフトキー『＋』がＯＮされたことを確認できなかったときは、直ちにステップＳ１１１に移行し、他のスイッチの入力状態に応じた通信データをセットする。
【００６３】
上記構成によれば、微生物を利用した所謂バイオ浄化方式のＦＴＢが接続されたときは、このＦＴＢの性能の劣化や異常の発生を確実に防止でき、接続されていないときは他の機器、即ち給湯機の湯張り機能や追焚き機能を十分に発揮させることができる。また、所謂バイオ浄化方式のＦＴＢが接続されている浴槽に、湯張り機能や追焚き機能を有した給湯機を後付けしてもそれによって、ＦＴＢの性能が劣化することがない。逆の場合も同様である。更には、操作が簡単であり、特別な不具合がない限り、使用者の好みにより上記加熱機器の性能を最大限に発揮させることができる。
【００６４】
図１１は、本発明の第２の実施形態に係る浴槽機器制御システムの第１の変形例の制御動作を示すフローチャートである。
【００６５】
本変形例においては、ステップＳ１３８において上述したソフトキー『＋』がＯＮされたことを確認したときは、設定された風呂温度設定値（＝現在設定値）と風呂設定温度上限値ＴＥとの間に、現在設定値≧ＴＥの関係が成立するか否かを直ちにチェックすることとした点が特徴である（ステップＳ１３９）。即ち、このチェックの結果、現在設定値≧ＴＥの関係が成立すると判断した場合には、ＴＥを風呂温度設定値とした後に、ステップＳ１３１に移行し（ステップＳ１４０）、成立しないと判断したときは、現在設定値を＋１℃上昇させた後に、ステップＳ１３１に移行する（ステップＳ１４１）。
【００６６】
上記内容から明らかなように、本変形例では、図１０のステップＳ１１９の処理動作を省略したため、それに伴ってステップＳ１２３〜Ｓ１２５の処理動作も当然に省略されている。これは、ＦＴＢ１の接続機種を判定することなしに、つまり、ＦＴＢ１として機種Ｅ又は機種Ｆが用いられているか否かを判断することなく、風呂設定温度上限値を一律にＴＥに設定することとしたものである。これにより、給湯機２の風呂温度設定機能は多少の制約を受けることとなるが、所謂バイオ浄化方式のＦＴＢの接続に関しては何ら問題は生じない。なお、ステップＳ１３１〜Ｓ１３８の処理動作については、図１０のステップＳ１１１〜Ｓ１１８の処理動作と同じであるので説明を省略する。
【００６７】
図１２は、本発明の第２の実施形態に係る浴槽機器制御システムの第２の変形例の制御動作を示すフローチャートである。
【００６８】
本変形例においては、ステップＳ１６０において、設定された風呂温度設定値（＝現在設定値）と風呂設定温度上限値ＴＥとの間に、現在設定値≧ＴＥの関係が成立する場合に、統一リモコン５に内蔵されているブザー（図示しない）を駆動して使用者に警告を発することとした点が特徴である（ステップＳ１６１）。即ち、警告をした後は、上記現在設定値と風呂設定温度上限値ＴＡとの間に、現在設定値≧ＴＡの関係が成立するか否かをチェックし（ステップＳ１６２）、成立すると判断した場合には、ＴＡを風呂温度設定値とした後に、ステップＳ１５１に移行することとなる（ステップＳ１６３）。また、成立しないと判断したときは、現在設定値を＋１℃上昇させた後に、ステップＳ１５１に移行することとなる（ステップＳ１６４）。
【００６９】
上記内容から明らかなように、本変形例では、図１０のステップＳ１２１の処理動作を省略したため、それに伴って設定された風呂温度設定値（＝現在設定値）を強制的に風呂設定温度上限値ＴＥに変更する制御は行なわれない。これは、ＦＴＢ１の接続機種が機種Ｅ又は機種Ｆであっても、現在設定値が風呂設定温度上限値ＴＥよりも高いか等しいことをブザーにより使用者に警告し、その後は使用者の判断に委ねることとしたものである。つまり、使用者がＦＴＢ１の浄化性能の劣化を防止する必要があると判断すれば、風呂温度設定値を自分で変更すれば良いし、ＦＴＢ１の浄化性能が劣化しても高温の浴湯を欲すればそのまま報知しておけば良い訳である。ステップＳ１６０において、現在設定値≧ＴＥの関係が成立しない場合、又は、ステップＳ１６２において、現在設定値≧ＴＡの関係が成立しない場合にも、現在設定値を＋１℃上昇させることとなる（ステップＳ１６４）。ここで、現在設定値≧ＴＥの関係が成立する場合に、ステップＳ１６１ではブザーを駆動して使用者に警告を発することとしたが、表示器３１に警告内容を表示させることとしても良いし、警告内容を音声により伝達するようにしても良い。なお、ステップＳ１５１〜Ｓ１６０の処理動作については、図１０のステップＳ１１１〜Ｓ１２０の処理動作と同じであるので説明を省略する。
【００７０】
上述した内容はあくまで本発明の一実施形態に関するものであって、本発明が上記内容のみに限定されることを意味するものでないのは勿論である。
【００７１】
【発明の効果】
以上説明したように、本発明によれば、複数の加熱機器の加熱温度を所定の温度に統合的に制御することを可能にし、もって従来技術の問題点を解決することができる。
【図面の簡単な説明】
【図１】本発明の加熱機器の制御装置が適用される浴槽機器制御システムの一実施形態の全体構成図。
【図２】図１の統一リモコン、ＦＴＢ、給湯機、及び気泡発生機の機能構成を示すブロック図。
【図３】図２の統一リモコンの操作部と表示部の説明図。
【図４】図２の統一リモコンの表示器の管面タッチスイッチの構成図。
【図５】図２の表示器に表示されるメイン画面を示した図。
【図６】図５のメイン画面から切り替るソフトキー表示画面を示した図。
【図７】図５のメイン画面から切り替るソフトキー表示画面を示した図。
【図８】図２の構成の制御動作のフローチャート。
【図９】本発明の加熱機器の制御装置が適用される浴槽機器制御システムの他の実施形態に適用される通信データの構成を示した図。
【図１０】第２の実施形態の浴槽機器制御システムの制御動作のフローチャート。
【図１１】第２の実施形態の第１の変形例の制御動作のフローチャート。
【図１２】第２の実施形態の第２の変形例の制御動作のフローチャート。
【符号の説明】
１  ＦＴＢ
２  給湯機
３  浴槽
４  気泡発生機
５  統一リモートコントローラ
１６  ＦＴＢコントローラ
２６  給湯機コントローラ
２９  気泡発生機コントローラ
３０  操作パネル
３１、４１  表示部
４２  操作部
４３  入出力管理部
４４  システム管理部
４５  接続／非接続判定部
４７  接続機種判定部
４９  動作状態判定部
５０  データ記憶部
５１、６４  通信Ｉ／Ｆ
６１  センサ群
６２  アクチュエータ
６３  制御部
【図１】
0003604024.tif 000002
【図２】
0003604024.tif 000003
【図３】
0003604024.tif 000004
【図４】
0003604024.tif 000005
【図５】
0003604024.tif 000006
【図６】
0003604024.tif 000007
【図７】
0003604024.tif 000008
【図８】
0003604024.tif 000009
【図９】
0003604024.tif 000010
【図１０】
0003604024.tif 000011
【図１１】
0003604024.tif 000012
【図１２】
0003604024.tif 000013